(57)【要約】【課題】トレーにタップ加工や他の穴加工を施す必要をなくす。【解決手段】このトレーＴはサーバーＳを設置する座面１０に複数の溝１１を並列に備える溝付きプレート１からなり、その付属部品として各溝１１に嵌合可能な複数のナットブロック２を備え、座面１０にサーバーＳを所要のレイアウトにより設置し、サーバーＳの取付ねじ１７の取付位置に対応する溝１１で当該取付ねじ１７の取付位置の直下となる溝１１内の位置にナットブロック２を配置し、このナットブロック２にサーバーＳの取付ねじ１７を締結するようにした。【選択図】図８
2019004088.tif 000002
【特許請求の範囲】
【請求項１】
電子機器収納用ラックに多段状に配置され、各種電子機器を搭載する電子機器搭載用トレーであって、
各種電子機器を設置する座面に複数の溝を並列に備え、前記各溝の幅方向両側の各側部上部に沿って内方に向けて突出するフランジを有し、前記両側のフランジ間に各種電子機器の取付ねじのねじ部を挿通可能な幅の開口を有する溝付きプレートからなり、
前記溝付きプレートの付属部品として、前記各溝に嵌合可能でかつ前記両側のフランジに係止可能な小ブロックからなり、前記各溝の開口に対向する面と前記各溝の底部に対向する面との間に形成されて前記両側のフランジ間に臨むねじ孔を有する複数のナットブロックを備え、
前記座面に各種電子機器を所要のレイアウトにより設置し、前記座面の前記複数の溝のうち、各種電子機器の大きさ、形状又は各種電子機器のレイアウトの取り方によって異なる各種電子機器の取付ねじの取付位置に対応する溝で当該取付ねじの取付位置の直下となる前記溝内の位置に前記ナットブロックを配置し、当該ナットブロックに各種電子機器の取付ねじを締結する、
ことを特徴とする電子機器搭載用トレー。
【請求項２】
複数の溝は溝付きプレートに当該溝付きプレートの奥行き方向に向けて又は当該溝付きプレートの幅方向に向けて並列に設けられる請求項１に記載の電子機器搭載用トレー。
【請求項３】
溝付きプレートは全体の溝の数を均等に又は不均等に振り分けられて同じ数の溝又は異なる数の溝を有する複数の分割プレートにより構成され、前記各分割プレートが連続して並列に又は一部を間欠して並列に配列され、前記各分割プレートの両端をそれぞれ長尺のプレートからなる一対のトレーガイドに固定されて、一体的に組み立てられる請求項１又は２に記載の電子機器搭載用トレー。
【請求項４】
各分割プレートは、相互に隣り合う各列の溝間の各側部が断面略Ｔ字形に形成され、最前列の溝の外側の側部が前記断面略Ｔ字形の側部をその厚さ方法中央で２分割しかつその分割面上下部をそれぞれ凹凸部にして形成される上下部を凹部とする一方の形状に形成され、最後列の溝の外側の側部が前記断面略Ｔ字形の側部をその厚さ方向中央で２分割しかつその分割面上下部をそれぞれ凹凸部にして形成される上下部を凸部とする他方の形状に形成される請求項３に記載の電子機器搭載用トレー。
【請求項５】
各分割プレートの両端に少なくとも一箇所取付孔を有し、各トレーガイドにその長さ方向に前記分割プレートの各取付孔に対応可能に複数の取付孔を有し、前記各分割プレートが前記各トレーガイドに相互の前記各取付孔を対応されて前記各取付孔間に締結部材を通して固定される請求項３又は４に記載の電子機器搭載用トレー。
【請求項６】
各トレーガイドの前部に電子機器収納用ラックに設けられる取付部に当接可能にねじ挿通孔を有する取付部が設けられ、溝付きプレートは前記各トレーガイドの前記各取付部が電子機器収納用ラックにねじ止めされて固定される請求項３乃至５のいずれかに記載の電子機器搭載用トレー。
【請求項７】
各ナットブロックは上部、中間部及び下部からなり、前記上部から前記下部までの高さが各分割プレートの溝の開口の幅よりも小さく、前記上部は前記溝の開口内に嵌合可能に垂直断面略長方形でかつ水平断面略長方形に形成され、前記中間部は、前記上部に連続し、前記各フランジに係合可能に前記上部よりも幅広の垂直断面略長方形でかつ水平断面略長方形に形成され、前記下部は、前記中間部に連続し、当該ナットブロックが横向きの状態から前記溝の開口を通され前記溝内で回転して嵌め込み可能に下方に向けて漸次幅狭の垂直断面略台形に形成される請求項１乃至６のいずれかに記載の電子機器搭載用トレー。
【発明の詳細な説明】
【技術分野】
【０００１】
本発明は、サーバーラックなどの電子機器収納用のラックに多段状に配置され、サーバーや通信機器機材などの各種電子機器の収納に使用する電子機器搭載用トレーに関する。
【背景技術】
【０００２】
一般に、データセンターや通信機器を設置する各施設などでは、サーバーや通信機器機材などの各種電子機器（以下、この段落の説明では単にサーバーという。）が電子機器搭載用トレーに搭載されて、サーバーラックなどの電子機器収納用のラック（以下、この段落の説明では単にサーバーラックという。）に多段状に収納される。
このようなサーバーの収納に使用される電子機器搭載用トレーを図１１、図１２に示している。
図１１に示すように、電子機器搭載用トレーｔは、サーバーＳを設置する座面ｔ１０がフラットな略矩形状のプレートｔ１からなる。また、このトレーｔの前側の左右両側部には上方に立ち上げられ、外側に突出されてなる一対の取付部ｔ１５３が形成され、各取付部ｔ１５３の上下２箇所にねじ挿通孔ｔ１５４が穿たれる。そして、このトレーｔには、このトレーｔに搭載するサーバーＳの大きさや形状又はサーバーＳのレイアウトの取り方によって異なるサーバーＳの取付ねじ１７の取付位置に合せてタップ穴ｔ１１が穿たれる。なお、この場合、サーバーラックＲは、左右両側に前後２本ずつ（又は前後及びその中間を含めて３本ずつ）並列に立ち上げられた左右各列の各支柱ｒ１間に２つのＬ型アングルからなるトレー支持プレートｒ２が水平に多段的に取り付けられて構成される。なお、前側の各支柱ｒ１には各段にトレーＴの取付部ｒ３（図１２（２）参照）が設けられて、各取付部ｒ３の上下２箇所にねじ孔ｒ３０が穿たれる。
このようにして、図１２（１）に示すように、複数のサーバーＳは各トレーｔ毎に所要のレイアウトで設置され、各サーバーＳが各サーバーＳの取付ねじ１７の取付位置で、すなわち、各サーバーＳに設けられた各ねじ挿通孔ｓ０がトレーｔに設けられた各タップ穴ｔ１１に合せられ、各取付ねじ１７を各サーバーＳの各ねじ挿通孔ｓ０に通してトレーｔの各タップ穴ｔ１１に締結されて固定される。
そして、図１２（２）に示すように、これらのトレーｔはそれぞれ、サーバーラックＲの各段の各トレー支持プレートｒ２上に載せられ、各トレーｔ前側の左右両側部の各取付部ｔ１５３がサーバラックＲの前側の各支柱ｒ１の各段に設けられた各取付部ｒ３に当接されて、各トレーｔの各取付部ｔ１５３の各ねじ挿通孔ｔ１５４から取付ねじ１８を通し、サーバーラックＲの各取付部ｒ３の各ねじ孔Ｒ３０に締結して固定される。かくして、複数のサーバーＳを搭載された各トレーｔがサーバーラックＲに多段状に配置固定される。
【０００３】
また、この種の電子器機器収納用トレー（棚部材）が特許文献１により提案されている。
この文献１の棚部材では、棚部材に電子機器を取り付けるための多数のネジ穴が形成され、電子機器が棚部材上にねじによって取り付け固定される。この場合、１つの棚部材ごとに２個の電子機器が左右に隣接して搭載されている。このようにしてサーバーや通信機器などの各種の電子機器が搭載された複数の棚部材がラックの各レールに多段状に取り付けられる。
【先行技術文献】
【特許文献】
【０００４】
【特許文献１】特開２００７−８０８８６号公報
【発明の概要】
【発明が解決しようとする課題】
【０００５】
しかしながら、従来の電子機器搭載用トレーでは、サーバーや通信機器機材など各種電子機器の大きさや形状又は各種電子機器のレイアウトの取り方によって異なる各種電子機器の取付ねじの取付位置（つまり、各サーバーに設けられた各ねじ挿通孔の位置）に合せてねじ孔を穿つため、トレーにタップ加工や他の穴加工を施す必要があり、トレーの加工及びトレーへの各種電子機器の搭載に多大な時間と費用を要する、という問題がある。
また、トレーに搭載された各種電子機器を新しいモデルに更新したり別の機種に変更したりする場合に、それまで使用していたトレーに更新又は変更する電子機器の取付ねじの取付位置に合せてねじ孔を追加する必要があり、また、トレーを新たなものに変える場合には、この新たなトレーにあらためてタップ加工や他の穴加工を施す必要があり、いずれにしても、トレーの加工及びトレーへの各種電子機器の搭載に多大な時間と費用を要し、後者の場合はさらに、資源（トレーの材料）を無駄に消費する、という問題がある。
【０００６】
本発明は、このような従来の問題を解決するもので、この種の電子機器搭載用トレーにおいて、トレーにサーバーや通信機器機材などの各種電子機器の大きさや形状又は各種電子機器のレイアウトの取り方によって異なる各種電子機器の取付ねじの取付位置に合せてねじ孔を穿つ必要がなく、トレーにタップ加工や他の穴加工を施す必要をなくして、トレーの加工及びトレーへの各種電子機器の搭載を簡単かつ迅速に行え、コストの低減を図ること、また、トレーに搭載された電子機器を新しいモデルに更新したり別の機種に変更したりする場合でも、トレーに各種電子機器の大きさや形状又は各種電子機器のレイアウトの取り方によって異なる各種電子機器の取付ねじの取付位置に合せてねじ孔を穿つ必要がなく、トレーにタップ加工や他の穴加工を施す必要をなくして、トレーの加工及びトレーへの各種電子機器の搭載を簡単かつ迅速に行え、コストの低減を図ることなど、を目的とする。
【課題を解決するための手段】
【０００７】
上記目的を達成するために、本発明は、
電子機器収納用ラックに多段状に配置され、各種電子機器を搭載する電子機器搭載用トレーであって、
各種電子機器を設置する座面に複数の溝を並列に備え、前記各溝の幅方向両側の各側部上部に沿って内方に向けて突出するフランジを有し、前記両側のフランジ間に各種電子機器の取付ねじのねじ部を挿通可能な幅の開口を有する溝付きプレートからなり、
前記溝付きプレートの付属部品として、前記各溝に嵌合可能でかつ前記両側のフランジに係止可能な小ブロックからなり、前記各溝の開口に対向する面と前記各溝の底部に対向する面との間に形成されて前記両側のフランジ間に臨むねじ孔を有する複数のナットブロックを備え、
前記座面に各種電子機器を所要のレイアウトにより設置し、前記座面の前記複数の溝のうち、各種電子機器の大きさ、形状又は各種電子機器のレイアウトの取り方によって異なる各種電子機器の取付ねじの取付位置に対応する溝で当該取付ねじの取付位置の直下となる前記溝内の位置に前記ナットブロックを配置し、当該ナットブロックに各種電子機器の取付ねじを締結する、
ことを要旨とする。
【０００８】
また、この電子機器搭載用トレーは溝付きプレート及びナットブロックに次の（１）−（３）の構成を備えることが好ましい。
（１）複数の溝は溝付きプレートに当該溝付きプレートの奥行き方向に向けて又は当該溝付きプレートの幅方向に向けて並列に設けられる。
（２）溝付きプレートは全体の溝の数を均等に又は不均等に振り分けられて同じ数の溝又は異なる数の溝を有する複数の分割プレートにより構成され、前記各分割プレートが連続して並列に又は一部を間欠して並列に配列され、前記各分割プレートの両端をそれぞれ長尺のプレートからなる一対のトレーガイドに固定されて、一体的に組み立てられる。
上記（２）の場合、溝付きプレートはさらに次の（イ）−（ハ）の構成を備えることが望ましい。
（イ）各分割プレートは、相互に隣り合う各列の溝間の各側部が断面略Ｔ字形に形成され、最前列の溝の外側の側部が前記断面略Ｔ字形の側部をその厚さ方法中央で２分割しかつその分割面上下部をそれぞれ凹凸部にして形成される上下部を凹部とする一方の形状に形成され、最後列の溝の外側の側部が前記断面略Ｔ字形の側部をその厚さ方向中央で２分割しかつその分割面上下部をそれぞれ凹凸部にして形成される上下部を凸部とする他方の形状に形成される。
（ロ）各分割プレートの両端に少なくとも一箇所取付孔を有し、各トレーガイドにその長さ方向に前記分割プレートの各取付孔に対応可能に複数の取付孔を有し、前記各分割プレートが前記各トレーガイドに相互の前記各取付孔を対応されて前記各取付孔間に締結部材を通して固定される。
（ハ）各トレーガイドの前部に電子機器収納用ラックに設けられる取付部に当接可能にねじ挿通孔を有する取付部が設けられ、溝付きプレートは前記各トレーガイドの前記各取付部が電子機器収納用ラックにねじ止めされて固定される。
（３）各ナットブロックは上部、中間部及び下部からなり、前記上部から前記下部までの高さが各分割プレートの溝の開口の幅よりも小さく、前記上部は前記溝の開口内に嵌合可能に垂直断面略長方形でかつ水平断面略長方形に形成され、前記中間部は、前記上部に連続し、前記各フランジに係合可能に前記上部よりも幅広の垂直断面略長方形でかつ水平断面略長方形に形成され、前記下部は、前記中間部に連続し、当該ナットブロックが横向きの状態から前記溝の開口を通され前記溝内で回転して嵌め込み可能に下方に向けて漸次幅狭の垂直断面略台形に形成される。
【発明の効果】
【０００９】
本発明の電子機器搭載用トレーでは、上記のとおり、各種電子機器を設置する座面に複数の溝を並列に備える溝付きプレートと、その付属部品として溝付きプレートの各溝に嵌合可能な複数のナットブロックとを備え、座面に各種電子機器を所要のレイアウトにより設置し、座面の複数の溝のうち、各種電子機器の大きさや形状又は各種電子機器のレイアウトの取り方によって異なる各種電子機器の取付ねじの取付位置に対応する溝で当該取付ねじの取付位置の直下となる溝内の位置にナットブロックを配置し、このナットブロックに各種電子機器の取付ねじを締結するようにしたので、従来のように、トレーにサーバーや通信機器機材など各種電子機器の大きさや形状又は各種電子機器のレイアウトの取り方によって異なる各種電子機器の取付ねじの取付位置に合せてねじ孔を穿つ必要がなく、トレーにタップ加工や他の穴加工を施す必要をなくして、トレーの加工及びトレーへの各種電子機器の搭載を簡単かつ迅速に行え、コストの低減を図ることができ、また、トレーに搭載された電子機器を新しいモデルに更新したり別の機種に変更したりする場合でも、トレーに各種電子機器の大きさや形状又は各種電子機器のレイアウトの取り方によって異なる各種電子機器の取付ねじの取付位置に合せてねじ孔を穿つ必要がなく、トレーにタップ加工や他の穴加工を施す必要をなくして、トレーの加工及びトレーへの各種電子機器の搭載を簡単かつ迅速に行え、コストの低減を図ることができる、という本発明独自の格別な効果を奏する。
【図面の簡単な説明】
【００１０】
【図１】本発明の一実施の形態における電子機器搭載用トレーの全体構成を示す図（斜視図）
【図２】同トレーを構成する分割プレートを示す図（（ａ）は２連溝付きの分割プレートの部分斜視図（ｂ）は３連溝付きの分割プレートの部分斜視図（ｃ）は６連溝付きの分割プレートの部分斜視図）
【図３】同トレーを構成する分割プレートを示す図（側面断面図））
【図４】同トレーの分割プレート及びトレーガイドを示す図（斜視図）
【図５】同トレーの分割プレート及びナットブロックを示す図（斜視図）
【図６】同トレーのナットブロックを示す図（斜視図）
【図７】同トレーの分割プレート及びナットブロックを示す図（側面断面図）
【図８】同トレーにサーバーを搭載する具体例を示し、複数の分割プレートをすべて連続して並列に配列することによりトレーを構成し、このトレーの座面に、サーバーを予め定めたレイアウトにより搭載する場合を示す図（斜視図）
【図９】同トレーにサーバーを搭載する具体例を示し、複数の分割プレートを、サーバーの下面にある操作スイッチ、メンテナンス蓋、その他種々の凹凸形状などの位置に合せて一部を間欠して並列に配列することによりトレーを構成し、このトレーの座面に、サーバーを予め定めたレイアウトにより搭載する場合を示す図（斜視図）
【図１０】同トレーをサーバーラックの各段の各トレー支持プレート上に載せ、サーバーラックに固定する状態を示す図（斜視図）
【図１１】従来の電子機器搭載用トレーの全体構成を示す図（斜視図）
【図１２】同トレーにサーバーを搭載し、サーバーラックに収納する状態を示す図（斜視図）
【発明を実施するための形態】
【００１１】
次に、この発明を実施するための形態について図を用いて説明する。
図１に電子機器搭載用トレー（以下、単にトレーという場合がある。）を示し、図２乃至図７にこのトレーの各部の構成を示している。
図１に示すように、電子機器搭載用トレーＴは、電子機器収納用ラック（以下の説明において単にサーバーラックという。）に多段状に配置され、サーバーや通信機器機材などの各種電子機器（以下の説明において単にサーバーという。）を搭載するもので、溝付きプレート１からなり、その付属部品として複数のナットブロック２（図５、図６参照）を備える。
【００１２】
溝付きプレート１は、図１に示すように、サーバーを設置する座面（つまり、上面）１０に複数の溝１１を並列に備え、図２に示すように、各溝１１の幅方向両側の各側部１２（溝１１を構成する両側のリブ１２）の上部に沿って内方に向けて突出されるフランジ１３を有し、両側のフランジ１３間にサーバーの取付ねじのねじ部を挿通可能な幅の開口１４を有する。
また、この溝付きプレート１では、図１に示すように、複数の溝１１が溝付きプレート１にこの溝付きプレート１の奥行き方向（言い換えれば、このトレー１が配置されるサーバーラックの奥行き方向）に向けて並列に設けられる。
さらに、この溝付きプレート１は、図２に示すように、全体の溝１１の数を均等に又は不均等に振り分けられて、同じ数の溝１１又は異なる数の溝１１を有する複数の分割プレート１０１により構成され、図１に示すように、各分割プレート１０１が連続して並列に又は一部を間欠して並列に配列され、各分割プレート１０１の両端をそれぞれ長尺のプレートからなる一対のトレーガイド１５に固定されて、一体的に組み立てられる。
【００１３】
この場合、複数の分割プレート１０１はそれぞれ、図２に示すように、２つの溝１１からなる２連溝付き分割プレート１０１、３つの溝１１からなる３連溝付き分割プレート１０１、６つの溝１１からなる６連溝付き分割プレート１０１の３種類で構成され、それぞれが、必要に応じて複数ずつ用意される。これらの分割プレート１０１はそれぞれ溝１１の数が異なるだけで、図３に示すように、相互に隣り合う各列の溝１１間の各側部１２が補強用のリブとしてフランジ１３とともに断面略Ｔ字形に形成され、最前列の溝１１の外側の側部１２Ｆにあっては、当該断面略Ｔ字形の側部１２をその厚さ方向中央で２分割しかつその分割面の上下部をそれぞれ凹凸部にして形成されるその上下部を凹部１２０とする一方の形状に形成され、最後列の溝１１の外側の側部１２Ｒにあっては、当該断面略Ｔ字形の側部１２をその厚さ方法中央で２分割しかつその分割面の上下部をそれぞれ凹凸部にして形成されるその上下部を凸部１２１とする他方の形状に形成される。これにより、各分割プレート１０１が並列に配列され、各分割プレート１０１の前部（最前列の溝１１の外側の側部１２Ｆ）と各分割プレート１０１の後部（最後列の溝１１の外側の側部１２Ｒ）が合せられて連結されると、前部の上下各凹部１２０に後部の上下各凸部１２１が嵌合され、前部の各凹部１２０間の面と後部の各凸部１２１間の面が当接して、これが既述の相互に隣り合う各列の溝１１間の各側部１２と同じ形状の側部となす。なお、各分割プレート１０１の底面はフラットになっている。また、各分割プレート１０１には、図４に示すように、その両端に少なくとも一箇所取付孔１１０が穿たれる。ここでは、各種の分割プレート１０１において前から２列目の溝１１の両端に一箇所ずつ取付孔１１０が穿たれており、溝付きプレート１全体として見た場合、これらの取付孔１１０は前から２列目の溝１１から後方へ６溝毎（６溝ピッチ）に形成される。
また、この場合、各トレーガイド１５は、図４に示すように、Ｌ型アングルからなり、各分割プレート１０１の両端を支持可能に溝付きプレート１の奥行き方向の長さと略同じ長さを有する水平部１５１と、各分割プレート１０１の両端面に当接しこれを覆い隠す高さと溝付きプレート１の奥行き方向の長さと略同じ長さとを有する垂直部１５２とを有し、各トレーガイド１５の水平部１５１にその長さ方向に各トレーガイド１５の各取付孔１１０に対応可能な間隔（６溝ピッチ）で複数の取付孔１５０が穿たれる。そして、各トレーガイド１５の前部にサーバーラックに当接可能に取付部１５３が設けられ、この取付部１５３にねじ挿通孔１５４が穿たれる。ここで取付部１５３は、各トレーガイド１５の垂直部１５２の前部に立ち上がり部１５３ａが形成され、その前端縁部から外側側方に向けて直角に張り出し部１５３ｂが形成されてなり、各張り出し部１５３ｂの上下２箇所にねじ挿通孔１５４が設けられる。
このようにして各分割プレート１０１が連続して並列に又は一部を間欠して並列に配列され、各分割プレート１０１の両端で各分割プレート１０１の両端が各トレーガイド１５の水平部１５１に相互の各取付孔１１０、１５０を対応されて各取付孔１１０、１５０間に締結部材１６としてリベットを通しカシメられて固定され、これにより、溝付きプレート１が全体として略矩形状に一体的に組み立てられる。この場合、溝付きプレート１は同じ数の溝１１又は異なる数の溝１１を有する複数の分割プレート１０１の種々の組み合わせにより奥行き方向の寸法を種々に調整可能である。また、この場合、溝付きプレート１は各分割プレート１０１が並列に配列され、図３に示すように、各分割プレート１０１の前部（最前列の溝１１の外側の側部１２Ｆ）が各分割プレート１０１の後部（最後列の溝１１の外側の側部１２Ｒ）に連結されると、既述のとおり、前部の上下各凹部１２０に後部の上下各凸部１２１が嵌合され、前部の各凹部１２０間の面と後部の各凸部１２１間の面が当接して、相互に隣り合う各列の溝１１間の各側部１２と同じ形状の側部をなし、同じ数の溝１１を有する分割プレート１０１同士が連結されても異なる数の溝１１を有する各分割プレート１０１同士が連結されても、各溝１１のピッチは同じとなる。さらに、この場合、溝付きプレート１は座面１０全体が複数の溝１１になっていて各溝１１を形成する各側部１２Ｆ、１２、１２Ｒが補強用のリブになっているので、サーバーによる垂直荷重に十分に耐え得る強度が得られる。
【００１４】
一方、複数のナットブロック２はそれぞれ、図５に示すように、溝付きプレート１の各溝１１に嵌合可能でかつ両側のフランジ１３に係止可能な小ブロックからなり、この小ブロックの各溝１１の開口１４に対向する面と各溝１１の底部に対向する面との間に形成されて両側のフランジ１３間に臨むねじ孔２０を有する。
この場合、各ナットブロック１２は、図５、図６に示すように、上部２１、中間部２２及び下部２３からなる。上部２１から下部２３までの高さは各分割プレート１０１の溝１１の開口１４の幅よりも小さい。上部２１は各分割プレート１０１の溝１１の開口１４内に嵌合可能に垂直断面略長方形でかつ水平断面略長方形に形成される。中間部２２は、上部２１に連続し、各分割プレート１０１の各フランジ１３に係合可能に上部２１よりも幅広の垂直断面略長方形でかつ水平断面略長方形に形成される。下部２３は、中間部２２に連続し、図７に示すように、このナットブロック２が横向きの状態から溝１１の開口１４に通され溝１１内で回転して嵌め込み可能に下方に向けて漸次幅狭の垂直断面略台形に形成される。ねじ孔２０は上部２１の中心と下部２３の中心との間に各分割プレート１０１の溝１１の開口１４幅よりも少し小径の円筒状に貫通形成される。かくしてナットブロック２は横向きの状態から各分割プレート１０１の溝１１の開口１４に通され溝１１内で回転されて溝１１内に嵌め込まれ、溝１１内でねじ孔２０が両側のフランジ１３間に臨むようになっている。そして、ナットブロック２は各分割プレート１０１の溝１１内に嵌め込まれると、使用前は溝１１内を自由に移動可能で、ねじ孔２０が両側のフランジ１３間に臨む向きでは、溝１１から抜けない構造となる。
【００１５】
このようにしてこのトレーＴは、既述のとおり、各分割プレート１０１が連続して並列に又は一部を間欠して並列に配列され、その座面（上面）１０にサーバーが搭載される。この場合、サーバーをトレーＴの座面１０に所要のレイアウトにより設置し、この座面１０の複数の溝１１のうち、サーバーの大きさ、形状又はサーバーのレイアウトの取り方によって異なるサーバーの取付ねじの取付位置に対応する溝１１で当該取付ねじの取付位置の直下となる溝１１内の位置にナットブロック２を配置し、このナットブロック２にサーバーの取付ねじを締結する。
【００１６】
図８、図９にこのトレーＴにサーバーＳを搭載する具体例を示している。
図８では、複数の分割プレート１０１をすべて連続して並列に配列することによりトレーＴを構成し、このトレーＴの座面１０に、サーバーＳを予め定めたレイアウトにより搭載する場合を示している。この場合、サーバーＳをトレーＴの座面１０上に所定のレイアウトにして設置した後、トレーＴの座面１０の複数の溝１１のうち、サーバーＳに設けられた複数のねじ挿通孔ｓ０に対応する溝１１にそれぞれナットブロック２を既述のとおりに嵌め込み、サーバーＳの各ねじ挿通孔ｓ０の直下となる溝１１内の位置にそれぞれナットブロック２を配置する。そして、各取付ねじ１７をサーバーＳの各ねじ挿通孔s０に通し各ナットブロック２に締結して、サーバーＳをトレーＴ上に固定する。
図９では、複数の分割プレート１０１を、サーバーＳの下面にある操作スイッチ、メンテナンス蓋、その他種々の凹凸形状などの位置に合せて一部を間欠して並列に配列することによりトレーＴを構成し、このトレーＴの座面１０に、サーバーＳを予め定めたレイアウトにより搭載する場合を示している。この場合、サーバーＳをトレーＴの座面１０上にサーバーＳ下面の各部（操作スイッチ、メンテナンス蓋、その他種々の凹凸形状など）をトレーＴの座面１０の間欠部１００に合せて所定のレイアウトにして設置した後、トレーＴの座面１０の複数の溝１１のうち、サーバーＳに設けられた複数のねじ挿通孔ｓ０に対応する溝１１にそれぞれナットブロック２を既述のとおりに嵌め込み、サーバーＳの各ねじ挿通孔ｓ０の直下となる溝１１内の位置にそれぞれナットブロック２を配置する。そして、各取付ねじ１７をサーバーＳの各ねじ挿通孔ｓ０に通し各ナットブロック２に締結して、サーバーＳをトレーＴ上に固定する。
このようにこのトレーＴでは、トレーＴにサーバーＳを搭載する場合、また、トレーＴに搭載されたサーバーＳを新しいモデルに更新したり別の機種に変更したりする場合に、従来のように、トレーＴにサーバーＳの大きさや形状又はサーバーＳのレイアウトの取り方によって異なるサーバーＳの取付ねじ１７の取付位置（つまり、サーバーＳに設けられた各ねじ挿通孔s０の位置）に合せてねじ孔を穿つ必要がない。すなわち、トレーＴにタップ加工や他の穴加工を施す必要がない。
また、このトレーＴはトレーＴの任意の一部を間欠して構成可能になっていることで、サーバーＳの下面に操作スイッチ、メンテナンス蓋、その他種々の凹凸形状などがある場合に、これらをトレーＴの間欠部１００を通してトレーＴの下面側に臨ませることができ、サーバーＳの各種の形態に対応可能である。
【００１７】
かくしてこのトレーＴは、図１０に示すように、サーバーラックＲの各段の各トレー支持プレートｒ２上に載せられ、各トレーガイド１５前部の各取付部１５３がサーバーラックＲの前側の各支柱ｒ１の各段に設けられた取付部ｒ３に前側から当接されて、各トレーＴの各取付部１５３の各ねじ挿通孔１５４に取付ねじ１８としてパネルファスナーがカシメ固定され、そのねじ部がサーバーラックＲの各取付部ｒ３の各ねじ孔ｒ３０に締結されて取り付けられる。
このようにサーバーラックＲに配置されたトレーＴは、溝付きプレート１の各溝１１を形成する各側部１２Ｆ、１２、１２Ｒが（補強）リブになっているので、サーバーＳによる垂直荷重に十分に耐え得る強度を有し、サーバーＳはトレーＴ上に安定的に搭載される。
また、このトレーＴは任意の一部を間欠して構成可能になっていることで、トレーＴの間欠部１００をサーバーＳから発生する熱の排出口として利用することが可能で、サーバーＳの冷却を効率よく行うことができる。
【００１８】
以上説明したように、この電子機器搭載用トレーＴでは、既述とおり、サーバーＳを設置する座面１０に複数の溝１１を並列に備える溝付きプレート１と、その付属部品として溝付きプレート１の各溝１１に嵌合可能な複数のナットブロック２とを備え、座面１０にサーバーＳを所要のレイアウトにより設置し、座面１０の複数の溝１１のうち、サーバーＳの大きさや形状又はサーバーＳのレイアウトの取り方によって異なるサーバーＳの取付ねじ１７の取付位置に対応する溝１１で当該取付ねじ１７の取付位置の直下となる溝１１内の位置にナットブロック２を配置し、このナットブロック２にサーバーＳの取付ねじ１７を締結するようにしたので、トレーＴにサーバーＳの大きさや形状又はサーバーＳのレイアウトの取り方によって異なるサーバーＳの取付ねじ１７の取付位置に合せてねじ孔を穿つ必要がなく、トレーＴにタップ加工や他の穴加工を施す必要をなくして、トレーＴの加工及びトレーＴへのサーバーＳの搭載を簡単かつ迅速に行え、コストの低減を図ることができる。
さらに、この電子機器搭載用トレーＴの構成によれば、トレーＴに搭載されたサーバーＳを新しいモデルに更新したり別の機種に変更したりする場合でも、トレーＴにサーバーＳの大きさや形状又はサーバーＳのレイアウトの取り方によって異なるサーバーＳの取付ねじ１７の取付位置に合せてねじ孔を穿つ必要がなく、トレーＴにタップ加工や他の穴加工を施す必要をなくして、トレーＴの加工及びトレーテーへのサーバーの搭載を簡単かつ迅速に行え、コストの低減を図ることができる。
【００１９】
また、この電子機器搭載用トレーＴではさらに次のような利点を有する。
（１）このトレーＴの溝付きプレート１は全体の溝１１の数が均等に又は不均等に振り分けられて同じ数の溝１１又は異なる数の溝１１を有する複数の分割プレート１０１により構成され、各分割プレート１０１が連続して並列に又は一部を間欠して並列に配列され、各分割プレート１０１の両端をそれぞれ長尺のプレートからなる一対のトレーガイド１５に固定されて、一体的に組み立てられるので、サーバーＳの下面に操作スイッチ、メンテナンス蓋、その他種々の凹凸形状などがある場合に、これらをトレーＴの間欠部１００を通してトレーＴの下面側に臨ませることができ、また、間欠部１００をサーバーＳから発生する熱の排出口として利用できるなど、トレーＴをサーバーＳの形態に合せて、また、サーバーＳを好ましい状態にして、構成することができ、しかも、その組み立てが容易である。
（２）このトレーＴの各分割プレート１０１は、相互に隣り合う各列の溝１１間の各側部１２が断面略Ｔ字形に形成され、各側部１２が補強リブになっているので、トレーＴはサーバーＳによる垂直荷重に十分に耐え得る強度を有し、トレーＴ上にサーバーＳを安定的に搭載することができる。
また、この場合、各分割プレート１０１の最前列の溝１１の外側の側部１２Ｆが断面略Ｔ字形の側部１２をその厚さ方向中央で２分割しかつその分割面上下部をそれぞれ凹凸部にして形成されるその上下部を凹部１２０とする一方の形状に形成され、最後列の溝１１の外側の側部１２Ｒが断面略Ｔ字形の側部１２をその厚さ方向中央で２分割しかつその分割面上下部をそれぞれ凹凸部にして形成されるその上下部を凸部１２１とする他方の形状に形成されるので、各分割プレート１０１の前部が各分割プレート１０１の後部に連結されると、前部上下の各凹部１２０に後部上下の各凸部１２１が嵌合し、前部の各凹部１２０間の面と後部の各凸部１２１間の面が当接して、前部と後部が相互に隣り合う各列の溝１１間の各側部１２と同じ形状の側部１２Ｆ・１２Ｒをなし、同じ数の溝１１を有する分割プレート１０１同士が連結されても異なる数の溝１１を有する各分割プレート１０１同士が連結されても、各溝１１を同じピッチにすることができる。
（３）このトレーＴの各分割プレート１０１の両端に少なくとも一箇所取付孔１１０を有し、各トレーガイド１５にその長さ方向に各分割プレート１０１の各取付孔１１０に対応可能に複数の取付孔１５０を有し、各分割プレート１０１が各トレーガイド１５に相互の各取付孔１１０、１５０を対応されて各取付孔１１０、１５０間に締結部材１８を通して固定されるので、各分割プレート１０１と各トレーガイド１５との固定を簡単に行え、トレーＴを容易に組み立てることができる。
（４）このトレーＴの各トレーガイド１５の前部又は後部の少なくとも一方にサーバーラックＲに設けられる取付部ｒ３に当接可能にねじ挿通孔１５４を有する取付部１５３が設けられ、溝付きプレート１は各トレーガイド１５の各取付部１５３がサーバーラックＲにねじ止めされて固定されるので、トレーＴをサーバーラックＲに容易に取り付けることができる。
（５）このトレーＴの各ナットブロック２は上部２１、中間部２２及び下部２３からなり、上部２１から下部２３までの高さが溝付きプレート１の溝１１の開口１４の幅よりも小さく、上部１１は溝１１の開口１４内に嵌合可能に垂直断面略長方形でかつ水平断面略長方形に形成され、中間部２２は、上部２１に連続し、各フランジ１３に係合可能に上部２１よりも幅広の垂直断面略長方形でかつ水平断面略長方形に形成され、下部２３は、中間部２２に連続し、このナットブロック２が横向きの状態から溝１１の開口１４に通され溝１１内で回転して嵌め込み可能に下方に向けて漸次幅狭の垂直断面略台形に形成されるので、各ナットブロック２をトレーＴの各溝１１に嵌め込みやすく抜けにくい、しかも移動させやすい形状とすることができる。
【００２０】
なお、この実施の形態では、溝付きプレート１が複数の分割プレート１０１により構成されるものとして例示したが、この溝付きプレート１は分割せず一体のものとして形成されてもよい。このようにしても、溝付きプレート１の一部を間欠できない点で上記実施の形態のものに若干劣後するが、全体としては上記実施の形態と概ね同様の作用効果を奏することができる。
また、この実施の形態では、複数の溝１１が溝付きプレート１にこの溝付きプレート１の奥行き方向に向けて並列に設けられるものとして例示したが、複数の溝１１が溝付きプレート１にこの溝付きプレート１の幅方向に向けて並列に設けられてもよい。このようにしても、上記実施の形態と同様の作用効果を奏することができる。
【符号の説明】
【００２１】
Ｔ  電子機器搭載用トレー
１  溝付きプレート
１０  座面（上面）
１００  間欠部
１０１  分割プレート
１１  溝
１１０  取付孔
１２  側部（リブ）
１２Ｆ  側部
１２０  凹部
１２Ｒ  側部
１２１  凸部
１３  フランジ
１４  開口
１５  トレーガイド
１５０  取付孔
１５１  水平部
１５２  垂直部
１５３  取付部
１５３ａ  立ち上がり部
１５３ｂ  張り出し部
１５４  ねじ挿通孔
１６  締結部材（リベット）
１７  取付ねじ
１８  取付ねじ（パネルファスナー）
２  ナットブロック
２０  ねじ孔
２１  上部
２２  中間部
２３  下部
Ｓ  サーバー
ｓ０  ねじ挿通孔
Ｒ  サーバーラック
ｒ１  支柱
ｒ２  トレー支持プレート
ｒ３  取付部
ｒ３０  ねじ孔
【図１】
2019004088.tif 000003
【図２】
2019004088.tif 000004
【図３】
2019004088.tif 000005
【図４】
2019004088.tif 000006
【図５】
2019004088.tif 000007
【図６】
2019004088.tif 000008
【図７】
2019004088.tif 000009
【図８】
2019004088.tif 000010
【図９】
2019004088.tif 000011
【図１０】
2019004088.tif 000012
【図１１】
2019004088.tif 000013
【図１２】
2019004088.tif 000014